【手続補正書】
【提出日】平成17年1月20日(2005.1.20)
【手続補正１】
【補正対象書類名】明細書
【補正対象項目名】発明の名称
【補正方法】変更
【補正の内容】
【発明の名称】静止画のための情報の再生方法並びにその装置
【手続補正２】
【補正対象書類名】明細書
【補正対象項目名】特許請求の範囲
【補正方法】変更
【補正の内容】
【特許請求の範囲】
【請求項１】
複数の静止画を有する第１領域と、前記静止画のいくつかに付加された複数の付加オーディオデータを有する第２領域と、前記第１領域における静止画と前記第２領域における付加オーディオデータとの連結関係を示す情報を有する第３領域とを含む記録媒体の再生方法において、
前記第３領域における連結情報に基づいて、前記第１領域における静止画と、対応する静止画に付加された付加オーディオデータとを再生する段階を含み、
前記第３領域における情報は、複数の静止画をグループ化してグループレベルで管理するための静止画グループ情報と、複数の付加オーディオデータをグループ化してグループレベルで管理するための付加オーディオグループ情報とを含む
ことを特徴とする再生方法。
【請求項２】
前記静止画グループ情報は、
各静止画グループの開始位置情報及び各静止画グループ内のビデオパートの個数に関する情報を含む静止画グループ一般情報と、
静止画の位置情報及び対応する付加オーディオデータを示す連結情報を含む、各静止画グループの静止画のための情報と
を含むことを特徴とする請求項１に記載の再生方法。
【請求項３】
各静止画グループの静止画の位置情報は、それぞれのビデオパートのサイズ情報を含む
ことを特徴とする請求項２に記載の再生方法。
【請求項４】
各静止画グループの静止画の位置情報は、対応する静止画に付加される付加オーディオデータのためのオーディオパートのサイズ情報と、再生時間情報とをさらに含む
ことを特徴とする請求項３に記載の再生方法。
【請求項５】
前記付加オーディオデータを示す連結情報は、付加オーディオグループの識別情報と、各付加オーディオグループ内における付加オーディオデータの識別情報とをさらに含む
ことを特徴とする請求項２に記載の再生方法。
【請求項６】
前記第１領域は、静止画のいくつかに関する元オーディオデータをさらに有する
ことを特徴とする請求項１に記載の再生方法。
【請求項７】
前記静止画グループ情報は、
各静止画グループの開始位置情報及び各静止画グループ内のビデオパートの個数に関する情報を含む静止画グループ一般情報と、
各静止画グループの静止画のサイズ情報、対応する元オーディオデータのサイズ情報、再生時間情報及び対応する付加オーディオデータを示す情報を含む各静止画グループの静止画のための情報と
を含むことを特徴とする請求項６に記載の再生方法。
【請求項８】
前記第３領域における情報に基づいて、第１領域における静止画と、第１領域における静止画に対応する元オーディオデータとを再生する段階をさらに含む
ことを特徴とする請求項６に記載の再生方法。
【請求項９】
複数の静止画、複数の静止画を第１の数のグループに分けるための静止画グループ情報、それの再生に関する再生情報、静止画とは別の領域にある希望の静止画に付加される付加オーディオデータ、付加オーディオデータを第２の数のグループに分けるための付加オーディオグループ情報、静止画グループ情報に含まれる希望の静止画に対応する付加オーディオデータを示す情報を有する記録媒体上の静止画を再生する方法において、
再生情報に応じて、再生しようとする静止画グループ情報を読出す段階と、
読出された静止画グループ情報に応じて、静止画の希望の一つの第１の位置を計算し、計算された第１の位置にある静止画データを再生する段階と、
読出された静止画グループ情報の中に、付加オーディオグループのうちの一つを示す情報が存在すれば、付加オーディオグループ情報に応じて、対応する静止画のための付加オーディオデータの第２の位置を計算し、計算された第２の位置にある対応する付加オーディオデータを再生する段階と
を含むことを特徴とする方法。
【請求項１０】
前記希望の静止画の第１の位置を計算する段階においては、希望の静止画を含む読出された静止画グループ情報内の静止画グループのうちの一つの開始位置と、前記希望の静止画に先行するデータのサイズとを合計し、
前記付加オーディオデータの第２の位置を計算する段階においては、対応する付加オーディオデータを含む付加オーディオグループ情報内の付加オーディオグループのうちの一つの開始位置と、対応する付加オーディオデータに先行するデータのサイズとを合計する
ことを特徴とする請求項９に記載の方法。
【請求項１１】
前記記録媒体は、静止画のいくつかの後に連続して記録された元オーディオデータを含み、
読出された静止画グループ情報の中に、付加オーディオグループのうちの一つを示す情報が存在しなければ、読出された静止画グループ情報に応じて、対応する静止画のための元オーディオデータの第３の位置を計算し、計算された第３の位置にある対応する元オーディオデータを再生する段階をさらに含む
ことを特徴とする請求項９に記載の方法。
【請求項１２】
前記希望の静止画の第１の位置を計算する段階においては、希望の静止画を含む読出された静止画グループ情報内の静止画グループのうちの一つの開始位置と、前記希望の静止画に先行するデータのサイズとを合計し、
前記元オーディオデータの第３の位置を計算する段階においては、計算された静止画の第１の位置と、計算された第１の位置にある静止画のビデオパートのサイズとを合計する
ことを特徴とする請求項１１に記載の方法。
【請求項１３】
前記方法は、
読出された静止画グループ情報をチェックして、ビデオパートのみからなる静止画か、元オーディオデータが付加された静止画か、または付加オーディオデータが付加された静止画かを判断する段階と、
判断された結果が、ビデオパートのみからなる静止画であれば、静止画のうちの希望の一つの第１の位置を計算し、計算された第１の位置にある希望の静止画を再生する段階と、
判断された結果が、付加オーディオデータが付加された希望の静止画であれば、希望の静止画の第１の位置及び付加オーディオデータの第２の位置を計算し、計算された第１及び第２の位置にある希望の静止画及び付加オーディオデータを再生する段階と、
判断された結果が、元オーディオデータが付加された静止画であれば、希望の静止画の第１の位置及び元オーディオデータの第３の位置を計算し、計算された第１及び第３の位置にある希望の静止画及び元オーディオデータを再生する段階と
をさらに含むことを特徴とする請求項９に記載の方法。
【請求項１４】
前記希望の静止画の第１の位置を計算する段階においては、希望の静止画を含む読出された静止画グループ情報内の静止画グループのうちの一つの開始位置と、前記希望の静止画に先行するデータのサイズとを合計し、
前記元オーディオデータの第３の位置を計算する段階においては、計算された静止画の第１の位置と、前記希望の静止画のビデオパートのサイズとを合計し、
前記付加オーディオデータの第２の位置を計算する段階においては、対応する付加オーディオデータを含むオーディオグループ情報内の付加オーディオグループのうちの一つの開始位置と、対応する付加オーディオデータに先行するデータのサイズとを合計する
ことを特徴とする請求項１３に記載の方法。
【請求項１５】
前記方法は、静止画の希望の一つのみを再生するか、あるいは、使用者の要求に従って読出された静止画グループ情報を用いて、希望の静止画及び対応する元オーディオデータの両方を再生するか、あるいは、読出された静止画グループ情報及び付加オーディオグループ情報を用いて、希望の静止画及び対応する付加オーディオデータの両方を再生する段階をさらに含む
ことを特徴とする請求項９に記載の方法。
【請求項１６】
前記再生段階においては、
希望の静止画を含む読出された静止画グループ情報内の静止画グループのうちの一つの開始位置と、前記希望の静止画に先行するデータのサイズとを合計することによって、希望の静止画を再生し、
希望の静止画の計算された第１の位置と、前記希望の静止画のビデオパートのサイズとを合計することによって、対応する元オーディオデータを再生し、
オーディオグループ情報内の付加オーディオグループの開始位置と、対応する付加オーディオデータに先行するデータのサイズとを合計することによって、対応する付加オーディオデータを再生する
ことを特徴とする請求項１５に記載の方法。
【請求項１７】
前記記録媒体は、再生しようとする静止画のグループを示すセル情報と、静止画の再生順序とを含み、
前記セル情報を読出す段階と、
再生しようとする静止画の読出し及び復号化の後で、セル情報に応じて、静止画のうちの別の一つを再生すべきか否かを判断する段階と
をさらに含むことを特徴とする請求項９に記載の方法。
【請求項１８】
記録媒体上の静止画を再生する方法において、前記記録媒体は、複数の静止画を静止画グループに分けるための静止画グループ情報と、静止画のいくつかに対応しかつ前記静止画とは別の領域に貯蔵される付加オーディオデータと、前記付加オーディオデータを付加オーディオグループに分けるための付加オーディオグループ情報と、前記静止画の再生を示すためのセル情報とを含み、
前記静止画のうちの一つのためのセル情報を読出す段階と、
読出されたセル情報に基づいて、一つの静止画の静止画グループ情報を読出す段階と、
読出された静止画グループ情報に基づいて、一つの静止画を読出す段階と、
記録媒体上に対応する一つの静止画のための付加オーディオデータが存在するかどうかを判断する段階と、
前記一つの静止画に対応する付加オーディオデータの付加オーディオグループの開始アドレスを決める付加オーディオグループ情報を読出す段階と、
読出された付加オーディオグループ情報に基づいて、一つの静止画に対応する付加オーディオデータを読出す段階と
を含むことを特徴とする方法。
【請求項１９】
前記記録媒体は、静止画のいくつかに続けて貯蔵された元オーディオデータを含み、
前記一つの静止画のための付加オーディオデータが存在しないという決定がなされた場合にのみ、前記元オーディオデータを一つの静止画の後に続けて付加するかどうかを判断する段階と、
前記オーディオデータを一つの静止画の後に続けて付加するという決定がなされたら、一つの静止画に対応する元オーディオデータを読出す段階と
をさらに含むことを特徴とする請求項１８に記載の方法。
【請求項２０】
記録媒体上の静止画を再生する方法において、前記記録媒体は、複数の静止画を静止画グループに分けるための静止画グループ情報と、前記静止画グループの開始アドレスと、対応する静止画グループ内の静止画のサイズと、静止画のいくつかに対応しかつ前記静止画とは別の領域に貯蔵される付加オーディオデータと、前記付加オーディオデータを付加オーディオグループに分けるための付加オーディオグループ情報と、前記付加オーディオグループの開始アドレスと、対応する付加オーディオグループ内の付加オーディオデータのサイズと、前記静止画の再生を示すためのセル情報とを含み、
前記静止画のうちの一つのためのセル情報を読出す段階と、
対応する一つの静止画の静止画グループの開始アドレスを決めるための静止画グループ情報を読出す段階と、
対応する静止画グループ内の前記一つの静止画より前の全ての静止画の第１のサイズを決定し、前記静止画グループの開始アドレスと、前記第１のサイズの合計とに基づいて、一つの静止画を読出す段階と、
記録媒体上に対応する一つの静止画のための付加オーディオデータが存在するかどうかを判断する段階と、
前記一つの静止画に対応する付加オーディオデータの付加オーディオグループの開始アドレスを決める付加オーディオグループ情報を読出す段階と、
対応する付加オーディオグループ内の前記一つの静止画に対応する付加オーディオデータより前の全ての付加オーディオデータの第２のサイズを決定し、前記付加オーディオグループの開始アドレスと、前記第２のサイズの合計とに基づいて、一つの静止画に対応する付加オーディオデータを読出す段階と
を含むことを特徴とする方法。
【請求項２１】
前記記録媒体は、静止画のいくつかに続けて貯蔵された元オーディオデータを含み、
前記一つの静止画のための付加オーディオデータが存在しないという決定がなされた場合にのみ、前記元オーディオデータを一つの静止画の後に続けて付加するかどうかを判断する段階と、
前記オーディオデータを一つの静止画の後に続けて付加するという決定がなされたら、一つの静止画に対応する元オーディオデータを読出す段階と
をさらに含むことを特徴とする請求項２０に記載の方法。
【請求項２２】
第１領域内の静止画と、第２領域内の静止画のいくつかに対応する付加オーディオデータと、静止画と対応する付加オーディオデータとの連結関係を示す連結情報と、静止画と対応する付加オーディオデータとの再生順序に関する再生情報とを有する記録媒体から静止画を再生する装置において、
第３領域内の連結情報に基づいて、第１領域内の静止画及び前記静止画に対応する付加オーディオデータのうちの希望の一つを再生するプレイバック処理器と、
希望の静止画及び対応する付加オーディオデータを信号処理する再生処理器と
を有することを特徴とする装置。
【請求項２３】
第３領域内の連結情報は、複数の静止画をグループに分けるための静止画グループ情報と、付加オーディオデータをグループに分けるための付加オーディオグループ情報とを含み、
前記プレイバック処理器は、
希望の静止画を含む第３領域の静止画グループ情報内の静止画グループのうちの一つの開始位置と、前記一つの静止画グループ内の希望の静止画に先行するデータのサイズとを合計することによって決定される第１の位置にある希望の静止画と、
付加オーディオグループ情報内の付加オーディオグループのうちの一つの開始位置と、対応する付加オーディオデータに先行するデータのサイズとを合計することによって決定される第２の位置にある対応する付加オーディオデータと
を再生する
ことを特徴とする請求項２２に記載の装置。
【請求項２４】
前記記録媒体は、静止画のいくつかの後に続けて記録される元オーディオデータをさらに有し、前記プレイバック処理器は、希望の静止画及び対応する元オーディオデータを再生する
ことを特徴とする請求項２２に記載の装置。
【請求項２５】
前記プレイバック処理器は、
希望の静止画を含む第３領域の静止画グループ情報内の静止画グループのうちの一つの開始位置と、希望の静止画に先行するデータのサイズとを合計することによって決定される第１の位置にある希望の静止画と、
希望の静止画の位置と、希望の静止画のビデオパートのサイズとを合計することによって決定される第２の位置にある元オーディオデータと
を再生する
ことを特徴とする請求項２４に記載の装置。
【請求項２６】
複数の静止画、複数の静止画をいくつかのグループに分けるための静止画グループ情報、第２領域内の静止画のいくつかに対応する付加オーディオデータ、複数の静止画をいくつかのグループに分けるための付加オーディオグループ情報、静止画と対応する付加オーディオデータとの連結関係を示す連結情報、静止画の再生順序に関する再生情報を有する記録媒体から静止画を再生する装置において、
再生情報に応じた静止画グループ情報と、連結情報に応じた付加オーディオグループ情報とを読出す光学ピックアップと、
読出された静止画グループ情報に応じて、静止画の希望の一つの第１の位置を計算し、計算された第１の位置にある静止画を再生し、かつ、読出された付加オーディオグループ情報に応じて、希望の静止画に対応する付加オーディオデータの第２の位置を計算し、計算された第２の位置にある付加オーディオデータを再生する再生器と
を有することを特徴とする装置。
【請求項２７】
前記記録媒体は、静止画のうちの対応するものの後に続けて記録される元オーディオデータをさらに有し、前記再生器は、読出された静止画グループ情報に応じて、希望の静止画に対応する元オーディオデータの第３の位置を計算し、計算された第３の位置にある元オーディオデータを再生する
ことを特徴とする請求項２６に記載の装置。
【請求項２８】
前記再生器は、
希望の静止画を含む読出された静止画グループ情報内の静止画グループのうちの一つの開始位置と、希望の静止画に先行するデータのサイズとを合計することによって希望の静止画の第１の位置を計算し、
かつ、計算された希望の静止画の第１の位置と、静止画のビデオパートのサイズとを合計することによって元オーディオデータの第２の位置を計算する
ことを特徴とする請求項２７に記載の装置。
【請求項２９】
前記再生情報は、再生しようとする静止画のグループを示すセル情報と、静止画の再生順序とを含み、前記光学ピックアップは、セル情報を読出し、前記再生器は、再生しようとする静止画の読出し及び復号化の後で、セル情報に応じて、静止画のうちの別の一つを再生すべきか否かを判断する
ことを特徴とする請求項２７に記載の装置。
【請求項３０】
記録媒体上の静止画を再生する装置において、前記記録媒体は、複数の静止画を静止画グループに分けるための静止画グループ情報と、静止画のいくつかに対応しかつ前記静止画とは別の領域に貯蔵される付加オーディオデータと、前記付加オーディオデータを付加オーディオグループに分けるための付加オーディオグループ情報と、前記静止画の再生を示すためのセル情報とを含み、
光学ピックアップと、
再生処理器と
を有し、
前記光学ピックアップは、静止画のうちの一つのためのセル情報を読出し、読出されたセル情報に基づいて、一つの静止画の静止画グループ情報を読出し、読出された静止画グループ情報に基づいて、一つの静止画を読出し、
前記再生処理器は、記録媒体上に対応する一つの静止画のための付加オーディオデータが存在するかどうかを判断し、
前記光学ピックアップは、一つの静止画に対応する付加オーディオデータの付加オーディオグループの開始アドレスを決める付加オーディオグループ情報を読出し、読出された付加オーディオグループ情報に基づいて、一つの静止画に対応する付加オーディオデータを読出す
ことを特徴とする装置。
【請求項３１】
前記記録媒体は、静止画のいくつかに続けて貯蔵された元オーディオデータを含み、
前記再生処理器は、一つの静止画のための付加オーディオデータが存在しないという決定がなされた場合にのみ、前記元オーディオデータを一つの静止画の後に続けて付加するかどうかを判断し、
前記光学ピックアップは、オーディオデータを一つの静止画の後に続けて付加するという決定がなされたら、一つの静止画に対応する元オーディオデータを読出す
ことを特徴とする請求項３０に記載の装置。
【請求項３２】
記録媒体上の静止画を再生する装置において、前記記録媒体は、複数の静止画を静止画グループに分けるための静止画グループ情報と、前記静止画グループの開始アドレスと、対応する静止画グループ内の静止画のサイズと、静止画のいくつかに対応しかつ前記静止画とは別の領域に貯蔵される付加オーディオデータと、前記付加オーディオデータを付加オーディオグループに分けるための付加オーディオグループ情報と、前記付加オーディオグループの開始アドレスと、対応する付加オーディオグループ内の付加オーディオデータのサイズと、前記静止画の再生を示すためのセル情報とを含み、
光学ピックアップと、
再生処理器と
を有し、
前記光学ピックアップは、静止画のうちの一つのためのセル情報を読出し、対応する一つの静止画の静止画グループの開始アドレスを決めるための静止画グループ情報を読出し、
前記再生処理器は、対応する静止画グループ内の前記一つの静止画より前の全ての静止画の第１のサイズを決定し、
前記光学ピックアップは、静止画グループの開始アドレスと、前記第１のサイズの合計とに基づいて、一つの静止画を読出し、
前記再生処理器は、記録媒体上に対応する一つの静止画のための付加オーディオデータが存在するかどうかを判断し、
前記光学ピックアップは、一つの静止画に対応する付加オーディオデータの付加オーディオグループの開始アドレスを決める付加オーディオグループ情報を読出し、
前記再生処理器は、対応する付加オーディオグループ内の前記一つの静止画に対応する付加オーディオデータより前の全ての付加オーディオデータの第２のサイズを決定し、
前記光学ピックアップは、付加オーディオグループの開始アドレスと、前記第２のサイズの合計とに基づいて、一つの静止画に対応する付加オーディオデータを読出す
ことを特徴とする装置。
【請求項３３】
前記記録媒体は、静止画のいくつかに続けて貯蔵された元オーディオデータを含み、
前記再生処理器は、一つの静止画のための付加オーディオデータが存在しないという決定がなされた場合にのみ、前記元オーディオデータを一つの静止画の後に続けて付加するかどうかを判断し、
前記光学ピックアップは、オーディオデータを一つの静止画の後に続けて付加するという決定がなされたら、一つの静止画に対応する元オーディオデータを読出す
ことを特徴とする請求項３２に記載の装置。
【手続補正３】
【補正対象書類名】明細書
【補正対象項目名】０００１
【補正方法】変更
【補正の内容】
【０００１】
【発明の属する技術分野】
本発明は、再記録できる記録媒体を用いてオーディオ及び/またはビデオ（A/V）データを記録及び/または再生する分野に係り、特に静止画及びこれに付加される付加オーディオデータを効率的に処理するための情報の記録及び/または再生方法とその装置に関する。